(57)【特許請求の範囲】
【請求項１】
遊技盤に設けられる可動役物を有する遊技機において、
前記可動役物は、
前記遊技盤に支持される基体と、
前記基体の中心軸に沿って当該基体に対して相対移動可能な芯部材と、
前記芯部材を囲繞して配置され、前記芯部材の移動に伴って揺動する複数の可動部材と、
前記可動部材が前記芯部材から離れる方向へと揺動する場合に、当該可動部材によって押圧される弾性部材と、を備え、
前記可動部材は、
前記基体に係合する揺動軸と、
前記芯部材が一方向へ移動する場合に、当該移動に伴う推力を受ける受圧部と、
前記揺動軸が設けられると共に、前記受圧部が前記芯部材に対峙して設けられるレバー部と、
前記芯部材を囲繞して配置され、一端側が前記レバー部を介して前記基体に支持される揺動部と、を備え、
前記芯部材が一方向へ移動する場合には、前記可動部材は、前記受圧部が前記芯部材の移動に伴う推力を受けることによって前記弾性部材の付勢力に抗して前記揺動軸を支点に前記芯部材から離れる方向に揺動し、
前記芯部材が他方向へ移動する場合には、前記可動部材は、前記弾性部材の付勢力によって前記揺動軸を支点に前記芯部材に近づく方向に揺動し、
前記レバー部が前記揺動軸を支点に揺動するのに伴って、前記揺動部の先端側が揺動し、
前記芯部材は、外周面の直径が前記一方向に向かって次第に減少するテーパ状に形成されたキャップ部材を備え、
前記芯部材の移動に伴って、前記レバー部は前記キャップ部材の外周面に案内されて揺動することを特徴とする遊技機。
【請求項２】
前記基体には、前記レバー部が前記芯部材の移動に伴う推力を受けて揺動する際に進入するスリットが設けられ、
前記芯部材が前記一方向へ移動する場合には、前記レバー部は、前記スリット内に進入し前記弾性部材を押圧することを特徴とする請求項１に記載の遊技機。
【請求項３】
前記弾性部材は、
前記基体に支持される環状のリング体と、
前記リング体から立設して設けられる複数の弾性部と、を備え、
前記弾性部は、前記基体の前記各スリットにおける外周開口部に対峙して配置されることを特徴とする請求項２に記載の遊技機。
【発明の詳細な説明】
【技術分野】
【０００１】
本発明は、遊技球を用いる遊技機に関するものである。
【背景技術】
【０００２】
遊技機の遊技盤に設けられる可動役物として、特許文献１には、基体の中心軸に沿って基体に対して出没自在な芯部材と、芯部材を囲繞する複数の可動片とを備え、可動片の他端部は芯部材に係合し、芯部材の中心軸方向に沿った往復動作に応じて可動片の一端部が離間状態と近接状態とに揺動するものが開示されている。
【特許文献１】特開２００７−０７５３２９号公報
【発明の開示】
【発明が解決しようとする課題】
【０００３】
しかしながら、特許文献１に開示の可動役物にあっては、可動片の回転支持部材と、基体における回転支持部材を収容する凹溝とに遊びが存在する。これにより、可動片の揺動時、各可動片の芯部材に対する開き角度に差異が生じ、各可動片の揺動が安定せず外観が美しくない。
【０００４】
特に、可動役物を芯部材が水平方向となるように配置した場合には、回転支持部材は重力によって下方に移動するため、芯部材の上方の可動片と下方の可動片との芯部材に対する開き角度の差が大きくなってしまう。
【０００５】
本発明は、上記の問題点に鑑みてなされたものであり、可動役物における可動部材の揺動を安定させることを目的とする。
【課題を解決するための手段】
【０００６】
第１の発明は、遊技盤に設けられる可動役物を有する遊技機において、前記可動役物は、前記遊技盤に支持される基体と、前記基体の中心軸に沿って当該基体に対して相対移動可能な芯部材と、前記芯部材を囲繞して配置され、前記芯部材の移動に伴って揺動する複数の可動部材と、前記可動部材が前記芯部材から離れる方向へと揺動する場合に、当該可動部材によって押圧される弾性部材とを備え、前記可動部材は、前記基体に係合する揺動軸と、前記芯部材が一方向へ移動する場合に、当該移動に伴う推力を受ける受圧部と、前記揺動軸が設けられると共に、前記受圧部が前記芯部材に対峙して設けられるレバー部と、前記芯部材を囲繞して配置され、一端側が前記レバー部を介して前記基体に支持される揺動部と、を備え、前記芯部材が一方向へ移動する場合には、前記可動部材は、前記受圧部が前記芯部材の移動に伴う推力を受けることによって前記弾性部材の付勢力に抗して前記揺動軸を支点に前記芯部材から離れる方向に揺動し、前記芯部材が他方向へ移動する場合には、前記可動部材は、前記弾性部材の付勢力によって前記揺動軸を支点に前記芯部材に近づく方向に揺動し、前記レバー部が前記揺動軸を支点に揺動するのに伴って、前記揺動部の先端側が揺動し、前記芯部材は、外周面の直径が前記一方向に向かって次第に減少するテーパ状に形成されたキャップ部材を備え、前記芯部材の移動に伴って、前記レバー部は前記キャップ部材の外周面に案内されて揺動することを特徴とする。
【０００８】
第２の発明は、前記基体には、前記レバー部が前記芯部材の移動に伴う推力を受けて揺動する際に進入するスリットが設けられ、前記芯部材が前記一方向へ移動する場合には、前記レバー部は、前記スリット内に進入し前記弾性部材を押圧することを特徴とする。
【００１０】
第３の発明は、前記弾性部材は、前記基体に支持される環状のリング体と、前記リング体から立設して設けられる複数の弾性部とを備え、前記弾性部は、前記基体の前記各スリットにおける外周開口部に対峙して配置されることを特徴とする。
【発明の効果】
【００１１】
第１の発明によれば、芯部材が一方向へ移動する場合には、可動部材は、芯部材の移動に伴う推力を受けることによって弾性部材の付勢力に抗して芯部材から離れる方向に揺動するため、可動部材には芯部材の移動に伴う推力と弾性部材の付勢力とが作用する。したがって、基体に対する可動部材の遊びが抑制されるため、各可動部材は、芯部材から離れる方向へと安定して揺動し、芯部材に対する各可動部材の開き角度は一様となる。また、芯部材が他方向へ移動する場合には、各可動部材は、弾性部材の付勢力によって安定に揺動し一様に閉じる。このように、各可動部材は芯部材の移動に伴って安定して揺動する。芯部材が一方向へ移動する場合には、レバー部には芯部材の移動に伴う推力と弾性部材の付勢力とが作用するため、基体に対するレバー部の揺動軸の遊びが抑制される。したがって、各揺動部の先端側は安定して揺動し、各揺動部の開き角度は一様となる。また、芯部材が他方向へ移動する場合には、各揺動部の先端側は、弾性部材の付勢力によって安定に揺動し一様に閉じる。芯部材は、外周面の直径が一方向に向かって次第に減少するテーパ状に形成されたキャップ部材を備えるため、レバー部はキャップ部材の外周面に案内されて安定して揺動する。
【００１３】
第２の発明によれば、基体にレバー部が揺動する際に進入するスリットを設けると共に、弾性部材はレバー部がスリット内に進入する際に押圧されるように配置されるため、基体、レバー部、及び弾性部材を効率良く配置することができ、可動役物をコンパクトにすることができる。
【００１５】
第３の発明によれば、弾性部材は、環状のリング体と、リング体から立設して設けられる複数の弾性部とを備え、弾性部を基体の各スリットにおける外周開口部に対峙して配置するため、基体に対する各可動部材の遊びを抑制することができるため、各可動部材は芯部材の移動に伴って安定して揺動する。
【発明を実施するための最良の形態】
【００１６】
以下、図面を参照して、本発明の実施の形態について説明する。
【００１７】
なお、以下の実施の形態の説明において記す前後左右とは、遊技者から見た、つまり遊技盤に向かって見た方向を指すものとする。
【００１８】
図１は、本発明の実施の形態の遊技機（パチンコ機）の遊技盤１の正面図であり、図２は、遊技盤１の斜視図である。
【００１９】
遊技盤１は、合板やプラスチック等からなる矩形状の遊技盤本体２の表面に、区画部材としてのガイドレール１０等を設けることで略円形状の遊技領域１１を区画形成している。
【００２０】
遊技機は、遊技者の操作に基づいて発射装置（図示省略）から遊技球を発射させ、遊技領域１１内に流下させることにより遊技を行うものである。遊技者は、カバーガラス（図示省略）を通じて遊技領域１１を視認することができる。
【００２１】
遊技領域１１には、開口窓部２１ａを有するセンターケース２１が配設される。センターケース２１の後方には、複数の識別情報を変動表示する変動表示装置２２が、その表示部２２ａがセンターケース２１の開口窓部２１ａに臨む状態で配設される。
【００２２】
遊技盤１にはセンターケース２１の外周に沿った形状の開口が形成され、センターケース２１は、その開口に遊技盤１の前方から嵌装される。また、センターケース２１の開口窓部２１ａは、開口窓部２１ａから臨む変動表示装置２２の表示部２２ａが遊技領域１１のほぼ中央に配置されるように形成されている。
【００２３】
変動表示装置２２は、表示部２２ａに複数の変動表示領域（例えば、左側、中央、右側の３つの可変表示領域等）を設定して各表示領域の各々で独立して画像表示がなされる表示装置である。本実施の形態では、例えば、任意の画像を表示可能なＬＣＤ（液晶表示器）等で表示画面部分が構成され、この表示画面上の各変動表示領域には複数の識別情報（特別図柄）や変動表示ゲームを演出するキャラクタ等、遊技の進行に基づく画像が表示される。
【００２４】
遊技領域１１におけるセンターケース２１の下方でかつ遊技領域１１の略中央には、普通変動入賞装置（普通電動役物）２３を有するチューリップタイプの変動表示始動口２４が配設される。この始動口２４の下方には、変動表示装置２２の作動結果によって遊技球を受け入れない状態と受け入れ易い状態とに変換可能な特別変動入賞装置（大入賞口）２５が配設される。また、遊技領域１１におけるセンターケース２１の左側方には、普図変動表示ゲームの普通図柄始動ゲート２６が配設される。
【００２５】
遊技領域１１におけるセンターケース２１の下方右側には、特図変動表示ゲームの特別図柄の変動表示、特別図柄入賞記憶数（始動記憶数）、普図変動表示ゲームの普通図柄の変動表示、及び普通図柄入賞記憶数を表示する表示器３２が配設される。
【００２６】
遊技領域１１における始動口２４の左側方には、遊技球が入賞した場合に賞球を払い出す条件だけが成立する一般入賞口２７ａ，２７ｂ，２７ｃが配設され、始動口２４の右側方には一般入賞口２７ｄが配設される。
【００２７】
遊技領域１１には、この他に、遊技球の落下方向を変える風車や釘（図示省略）等の方向変換部材、入賞せずに流下した遊技球を回収するアウト口３０、及び発光により各種の装飾表示を行うランプ・ＬＥＤ（図示省略）が配設される。
【００２８】
また、遊技領域１１におけるセンターケース２１内には、所定の遊技状態の発生時、例えば、確率変動、普図時短等の特定遊技状態、遊技者にとって有利な特別遊技状態（大当たり）、及び特別遊技状態を成立させ得るリーチ状態が発生した場合に、動作し演出を行う可動役物６５が配設される。可動役物６５の構成については後述する。
【００２９】
発射装置によって打ち出された遊技球は、ガイドレール１０の左側部側に区画され遊技球を案内する発射球案内通路３１から遊技領域１１に発射され、遊技領域１１内の各所に配置された方向変換部材によって落下方向を変えながら遊技領域１１を流下し、始動口２４、一般入賞口２７ａ〜２７ｄ、又は特別変動入賞装置２５に入賞するか、遊技領域１１の最下部に設けられたアウト口３０から排出される。
【００３０】
始動口２４、一般入賞口２７ａ〜２７ｄ、特別変動入賞装置２５に遊技球が入賞すると、入賞した入賞口の種類に応じた数の賞球が払出装置（図示省略）から排出される。
【００３１】
具体的には、始動口２４に遊技球が入賞すると、変動表示装置２２では、前述した数字等で構成される識別情報が順に変動表示する変動表示ゲームが開始され、変動表示ゲームに関する画像が表示される。
【００３２】
始動口２４への遊技球の入賞が所定のタイミングでなされたときには大当たり状態となり、三つの表示図柄が揃った状態（大当たり図柄）で停止する。このとき、特別変動入賞装置２５は、大入賞口ソレノイド（図示省略）への通電によって、大入賞口が所定の時間だけ、遊技球を受け入れない閉状態（遊技者に不利な状態）から遊技球を受け入れやすい開状態（遊技者に有利な状態）に変換される。すなわち、大入賞口が所定の時間だけ大きく開くので、この間遊技者には、多くの遊技球を獲得することができるという遊技価値が付与される。
【００３３】
また、普通図柄始動ゲート２６を遊技球が通過すると、表示器３２で普図変動表示ゲームが開始される。普通図柄始動ゲート２６への遊技球の通過が所定のタイミングでなされたときには普通図柄に関する当たり状態となり、表示器３２に表示される普通図柄が当たり状態で停止する。このとき、始動口２４に設けられた普通変動入賞装置２３は、普通電動役物ソレノイド（図示省略）への通電によって、始動口２４への入口が所定の時間だけ拡開するように変換され、始動口２４への遊技球の入賞可能性が高められる。
【００３４】
次に、センターケース２１について説明する。
【００３５】
センターケース２１は、後方に開口窓部２１ａが形成された異形リング状の部材であり、遊技盤１に形成された開口に遊技盤１の前方から嵌装され、遊技盤１に対して固定される。なお、センターケース２１は、合成樹脂にて形成され、色は無色透明、有色のいずれでもよい。
【００３６】
センターケース２１が遊技盤１に嵌装された状態では、遊技盤１には、背面開口部に変動表示装置２２の表示部２２ａが配置された凹室３５が形成されると共に、遊技盤１の表面から前方に立設し遊技球を案内するガイド３６が形成される。
【００３７】
ガイド３６は、センターケース２１の上部から両側部に亘って形成される。これにより、発射球案内通路３１から遊技領域１１内に発射された遊技球は、ガイドレール１０とガイド３６とによって区画された領域を流下する。
【００３８】
センターケース２１は、図１に示すように、遊技領域１１の一側部側（本実施の形態では右側）に寄せて配設されるため、センターケース２１の左側方の遊技領域１１ａは大きく形成され、その遊技領域１１ａには風車や釘等の方向変換部材が多数配設される。これに対して、センターケース２１の右側方の遊技領域１１ｂは、遊技球１個が通過可能な程度の間隔しかなく、釘等の方向変換部材は配設されていない。このように、遊技領域１１ｂは、遊技領域１１ａと比較して狭小に形成される。
【００３９】
センターケース２１の内側底部、つまり凹室３５の底部は、遊技球が転動可能であって、転動する遊技球をセンターケース２１下方の始動口２４が配設される遊技領域１１へ流下させるためのステージ４０として構成される。ステージ４０の構造については後述する。
【００４０】
センターケース２１の左側部には、遊技領域１１ａを流下する遊技球をセンターケース２１内側のステージ４０に導くためのワープ通路４１が配設される。
【００４１】
ワープ通路４１は、図３及び図４に示すように、遊技領域１１ａに向けて開口し遊技領域１１を流下する遊技球を受け入れる流入口４２と、流入口４２から流入した遊技球が通過する流路４３と、ステージ４０に向けて開口し流路４３を通過した遊技球をステージ４０に対して流出する流出口４４とを備えるトンネル状の通路である。
【００４２】
流入口４２は、センターケース２１の左側方を流下する遊技球を受け入れるため、左斜め上方へ向けて開口している。流路４３は、通過する遊技球の転動方向を変える屈曲部を複数有し、流路４３を転動する遊技球は、屈曲部に当接することによって転動の勢いが弱められる。
【００４３】
したがって、遊技領域１１ａを流下する遊技球が流入口４２に流入した場合、遊技球は、流路４３中を転動しながら屈曲部に当接することによって減速し、勢いが弱められた状態で流出口４４からステージ４０へと排出される。なお、ワープ通路４１は、無色透明の合成樹脂にて形成される。
【００４４】
次に、図３及び図４を参照して、センターケース２１内側底部のステージ４０について説明する。図３及び図４は、センターケース２１におけるステージ４０の拡大図である。
【００４５】
ステージ４０は、センターケース２１の底部に配設され左右方向に延在するメインステージ４５と、メインステージ４５の手前側を左右方向に延在すると共にメインステージ４５と立体交差するサブステージ４６とを備える。サブステージ４６は、取り外しが可能なように構成され、図４に示す締結部４６ａを介してセンターケース２１の内側底部に固定される。図４は、サブステージ４６を取り外した状態を示す図である。ステージ４０は合成樹脂にて形成され、特に、サブステージ４６は無色透明の合成樹脂にて形成される。なお、以下では、メインステージ４５及びサブステージ４６の双方を指す場合には、ステージ４０と称する。
【００４６】
ワープ通路４１の流出口４４は、ステージ４０の左側方に配置され、流出口４４から排出された遊技球は、メインステージ４５又はサブステージ４６に遊技球を導く案内通路４７のいずれかに流入する。
【００４７】
図４に示すように、メインステージ４５における遊技球が転動する転動面は、左右両端部から中央に向かって下り傾斜して形成されると共に、中央部には山状に隆起した隆起部４８が形成される。中央部に山状の隆起部４８が形成されることによって、隆起部４８の左右には谷部４９が形成される。このように、メインステージ４５の転動面は波形形状に形成される。
【００４８】
メインステージ４５における隆起部４８の頂部には、前方に向かって下り傾斜し、遊技球を遊技領域１１へと案内する球案内部４８ａが形成される。この球案内部４８ａは、始動口２４の直上に配設される。
【００４９】
隆起部４８左右の谷部４９にも、前方に向かって下り傾斜し、遊技球を遊技領域１１へと案内する球案内部４９ａが形成される。なお、隆起部４８の球案内部４８ａの左右方向の幅は、谷部４９の球案内部４９ａの幅と比較して狭く形成される。
【００５０】
図３に示すように、サブステージ４６は、メインステージ４５の手前側を左右方向に延在する第１サブステージ５１と、メインステージ４５の奥側を左右方向に延在する第２サブステージ５２と、メインステージ４５の上方を横切るように第１サブステージ５１と第２サブステージ５２とをつなぐバイパス通路５３とからなる。このように、サブステージ４６は、メインステージ４５と立体交差して配設される。
【００５１】
第１サブステージ５１における転動面は、左右両端部から中央に向かって下り傾斜して形成されると共に、中央部には山状に隆起した隆起部５４が形成される。中央部に山状の隆起部５４が形成されることによって、隆起部５４の左右には谷部５５が形成される。このように、第１サブステージ５１の転動面は、メインステージ４５と同様に波形形状に形成されるが、下り傾斜の角度はメインステージ４５と比較して小さい。
【００５２】
第１サブステージ５１における隆起部５４の頂部には、後方に向かって下り傾斜し、遊技球をメインステージ４５へと案内する球案内部５４ａが形成される。この球案内部５４ａは、始動口２４の直上に配設される。
【００５３】
隆起部５４左右の谷部５５には、後方に向かって下り傾斜する球案内部５５ａが形成される。この球案内部５５ａはバイパス通路５３に連通している。
【００５４】
メインステージ４５の右端部には、前方に向かって下り傾斜し、遊技球を第１サブステージ５１へと案内する球案内部６１が形成される。
【００５５】
バイパス通路５３は、後方に向かって下り傾斜して形成されると共に、中央部が窪んだ湾曲状に形成され、第１サブステージ５１の隆起部５４を挟んで２つ設けられる。
【００５６】
第２サブステージ５２は、バイパス通路５３を転動する遊技球が導かれるステージであり、転動面が中央に向かって下り傾斜して形成され、中央部には前方に向かって下り傾斜し、遊技球をメインステージ４５へと案内する球案内部５２ａが形成される。
【００５７】
サブステージ４６が以上のように構成されることによって、ステージ４０の中央には、図３に示すように、開口部５７が形成され、サブステージ４６を転動するほとんどの遊技球は、開口部５７を通じてメインステージ４５へと落下する。
【００５８】
なお、メインステージ４５及びサブステージ４６には、転動する遊技球が各球案内部以外から排出されないようにステージに沿ってガイド壁５０が立設して設けられる。
【００５９】
案内通路４７は、メインステージ４５の奥側に配設され段状にかつ下り傾斜して形成された第１案内通路４７ａと、第１案内通路４７ａから９０度屈曲しメインステージ４５の下方を横切り前方に向かって下り傾斜して形成された第２案内通路４７ｂとからなる。このように、第２案内通路４７ｂは、メインステージ４５と立体交差し、第１サブステージ５１の左端部に連通して配設され、遊技球を第１サブステージ５１に導く。
【００６０】
第１サブステージ５１の下方には、図４に示すように、メインステージ４５に沿って形成された下段ステージ５８が配設される。下段ステージ５８の中央部には、メインステージ４５における球案内部４８ａから案内される遊技球が導かれる球案内部５８ａが前方に向かって下り傾斜して形成される。下段ステージ５８の球案内部５８ａから前方に案内される遊技球は、センターケース２１の前面に開口して形成された中央開口部５９を通じて遊技領域１１に排出される。中央開口部５９は、始動口２４の直上に配設されるため、中央開口部５９から遊技領域１１へ落下する遊技球は、始動口２４へ入賞する可能性が高くなる。
【００６１】
また、下段ステージ５８における球案内部５８ａの左右には、メインステージ４５における球案内部４９ａから案内される遊技球が導かれる球案内部５８ｂが前方に向かって下り傾斜して形成される。球案内部５８ｂから前方に案内される遊技球は、センターケース２１の前面でかつ中央開口部５９の左右に開口して形成された左方開口部６０ａ、右方開口部６０ｂを通じて遊技領域１１に排出される。なお、左方開口部６０ａ及び右方開口部６０ｂの左右方向の幅は、中央開口部５９の幅と比較して大きく形成される。
【００６２】
以上のように構成されるステージ４０上を転動する遊技球の流れについて説明する。
【００６３】
まず、ワープ通路４１を通過し、流出口４４からメインステージ４５に流入する遊技球について説明する。メインステージ４５に流入した遊技球は、メインステージ４５の左側部の下り傾斜によって中央に向かって転動する。
【００６４】
その遊技球のうち転動速度が遅い遊技球は、隆起部４８を上りきることができず、隆起部４８左側の谷部４９の球案内部４９ａにて前方へと転動方向を変え、第１サブステージ５１の下方を横切り、下段ステージ５８の球案内部５８ｂから左方開口部６０ａを通じて遊技領域１１へと流下し、始動口２４への入賞の可能性は低くなる。
【００６５】
また、転動速度が速い遊技球は、隆起部４８を上りきり、隆起部４８の球案内部４８ａに嵌り、前方へと転動方向を変え、第１サブステージ５１の下方を横切り、下段ステージ５８の球案内部５８ａから中央開口部５９を通じて遊技領域１１へと流下する。始動口２４は、中央開口部５９の直下に配設されているため、中央開口部５９から遊技領域１１へ落下する遊技球は、始動口２４へ入賞する可能性が高くなる。
【００６６】
また、転動速度がさらに速い遊技球は、隆起部４８を上りきった後、隆起部４８の球案内部４８ａに嵌ることなく通過し、隆起部４８右側の谷部４９の球案内部４９ａにて前方へと転動方向を変え、第１サブステージ５１の下方を横切り、下段ステージ５８の球案内部５８ｂから右方開口部６０ｂを通じて遊技領域１１へと流下し、始動口２４への入賞の可能性は低くなる。
【００６７】
なお、転動速度が速い遊技球のなかには、メインステージ４５の右側部の傾斜を上りきり、メインステージ４５の右端部の球案内部６１に達し、球案内部６１から第１サブステージ５１へと導かれる遊技球も稀にある。
【００６８】
次に、ワープ通路４１を通過し、流出口４４から案内通路４７に流入する遊技球について説明する。
【００６９】
案内通路４７に流入した遊技球は、段状の第１案内通路４７ａを下ると共に、第２案内通路４７ｂによってメインステージ４５の下方を横切り、第１サブステージ５１に流入し、第１サブステージ５１の左側部の下り傾斜によって中央に向かって転動する。
【００７０】
その遊技球のうち転動速度が遅い遊技球は、隆起部５４を上りきることができず、隆起部５４左側の谷部５５の球案内部５５ａにて後方へと転動方向を変え、バイパス通路５３を通じてメインステージ４５の上方を横切り、第２サブステージ５２へと流入する。そして、第２サブステージ５２を中央に向かって転動し、球案内部５２ａにて前方へと転動方向を変え、開口部５７を通じてメインステージ４５へと落下する。ここで、球案内部５２ａは、遊技球１個が通過可能な程度の幅しかないため、遊技球は球案内部５２ａにて前方へとまっすぐに案内される可能性が高く、その場合には、メインステージ４５中央の球案内部４８ａ、下段ステージ５８中央の球案内部５８ａ、及び中央開口部５９を通じて遊技領域１１へと流下し、始動口２４への入賞の可能性が高くなる。これに対して、第２サブステージ５２の球案内部５２ａからメインステージ４５中央の球案内部４８ａに落下しない場合には、左方開口部６０ａ、右方開口部６０ｂを通じて遊技領域１１へと流下し、始動口２４への入賞の可能性は低くなる。
【００７１】
また、転動速度が速い遊技球は、隆起部５４を上りきり、隆起部５４の球案内部５４ａに嵌り、後方へと転動方向を変え、開口部５７を通じてメインステージ４５へと落下する。ここで、球案内部５４ａは、遊技球１個が通過可能な程度の幅しかないため、遊技球は球案内部５４ａにて後方へとまっすぐに案内される可能性が高く、その場合には、メインステージ４５中央の球案内部４８ａ、下段ステージ５８中央の球案内部５８ａ、及び中央開口部５９を通じて遊技領域１１へと流下し、始動口２４への入賞の可能性が高くなる。
【００７２】
また、転動速度がさらに速い遊技球は、隆起部５４を上りきった後、隆起部５４の球案内部５４ａに嵌ることなく通過し、隆起部５４右側の谷部５５の球案内部５５ａにて後方へと転動方向を変え、バイパス通路５３を通じてメインステージ４５の上方を横切り、第２サブステージ５２へと流入する。そして、第２サブステージ５２を中央に向かって転動し、球案内部５２ａにて前方へと転動方向を変え、開口部５７を通じてメインステージ４５へと落下する。
【００７３】
なお、バイパス通路５３を転動する遊技球のうち、転動の勢いの小さい遊技球は、第２サブステージ５２へと到達せずに、バイパス通路５３からメインステージ４５へと落下し、左方開口部６０ａ、右方開口部６０ｂを通じて遊技領域１１へと流下する可能性が高く、始動口２４への入賞の可能性は低くなる。
【００７４】
このように、サブステージ４６を転動する遊技球は、転動の勢いによって経路が決まるため、遊技球の転動の勢いは始動口２４への入賞確率に大きな影響を与える。
【００７５】
そこで、遊技球の転動の勢いを調節する手段として、第１案内通路４７ａには、複数の段部が形成される。第１案内通路４７ａは、合成樹脂にて形成されているため、遊技球が各段部から落下し、下の段部に当接する際、摩擦により遊技球の速度は減少する。つまり、遊技球が各段部を下る過程で、遊技球にはブレーキが作用する。このことから、第１案内通路４７ａの段数を調節することによって、案内通路４７から第１サブステージ５１に流入する遊技球の勢いを調節することが可能となる。
【００７６】
具体的には、第１案内通路４７ａの段数を多くすれば、第１案内通路４７ａを通過する遊技球には大きなブレーキ力が作用するため、遊技球は勢いが弱まった状態で第１サブステージ５１に流入する。この場合、遊技球は、第１サブステージ５１における隆起部５４を上りきることができず、隆起部５４左側の谷部５５の球案内部５５ａからバイパス通路５３へと案内される可能性が高く、始動口２４への入賞確率は小さくなる。これに対して、第１案内通路４７ａの段数を少なくすれば、第１案内通路４７ａを通過する遊技球には大きなブレーキ力が作用しないため、遊技球は勢いが強い状態で第１サブステージ５１に流入する。この場合、遊技球は、第１サブステージ５１における隆起部５４を上りきり、隆起部５４の球案内部５４ａに嵌り、メインステージ４５へと落下する可能性が高く、始動口２４への入賞確率は高くなる。
【００７７】
なお、以上では、遊技球が案内通路４７を通じて第１サブステージ５１へと導かれる場合について示したが、メインステージ４５の右端部の球案内部６１を通じて第１サブステージ５１へと導かれる場合もある。
【００７８】
センターケース２１の前面下部の左端部には、中央に向かって下り傾斜して形成された方向変換部材の一種である傾斜流路６３が取り付けられる。傾斜流路６３における転動面には、突状部６３ａが所定間隔毎に形成される。また、傾斜流路６３の前面には、傾斜流路６３を転動する遊技球を案内するガイド壁６３ｂが立設して設けられる。
【００７９】
傾斜流路６３の入口は遊技領域１１ａに向けて開口しているため、センターケース２１の左側方を流下する遊技球の一部は、傾斜流路６３に流入して転動し、右端の出口から遊技領域１１へと排出される。また、遊技領域１１ａを流下し傾斜流路６３の転動面に勢いよく衝突し跳ね返った遊技球のなかには、ステージ４０へと飛入するものもある。
【００８０】
次に、図５〜１６を参照して、可動役物６５及びその周辺部材について説明する。
【００８１】
図５及び図６に示すように、可動役物６５は、変動表示装置２２を支持する表示装置支持枠６６を介して遊技盤１に取り付けられる。
【００８２】
表示装置支持枠６６は、遊技盤１の背面側から遊技盤１に対して取り付けられ、中央に変動表示装置２２の表示部２２ａが臨む開口部６６ａを有し、前面には装飾部材が設けられる。装飾部材のうち符号６７は、表示部２２ａに表示されている図柄を拡大するレンズである。可動役物６５は、表示装置支持枠６６の上部右端に取り付けられる。
【００８３】
表示装置支持枠６６は、外周に設けられた２つの位置決めピン６８ａ、６８ｂを遊技盤１の背面に設けられた位置決め穴（図示省略）に挿入することによって遊技盤１に対する位置決めが行われ、外周に設けられた複数の締結部６９を介して遊技盤１に固定される。
【００８４】
表示装置支持枠６６が遊技盤１の背面に取り付けられることによって、センターケース２１の開口窓部２１ａに変動表示装置２２の表示部２２ａが臨むと共に、センターケース２１の凹室３５内に可動役物６５が配置されることになる。
【００８５】
図７及び図８に示すように、可動役物６５は、表示装置支持枠６６に固定される役物支持部材７１に対して揺動自在に取り付けられる。図５及び図７は可動役物６５が役物支持部材７１に対して上向きに揺動した状態を示す図であり、図６及び図８は可動役物６５が役物支持部材７１に対して下向きに揺動した状態を示す図である。なお、図７及び図８は役物支持部材７１及び可動役物６５を背面側から見た背面図である。
【００８６】
図９及び図１０に示すように、役物支持部材７１は、４つの締結部７０を用いて表示装置支持枠６６に固定され、役物支持部材７１には可動役物６５を揺動するための駆動機構７２が配設される。
【００８７】
駆動機構７２は、図１０に示すように、締結部７２ａを役物支持部材７１の締結部７１ａと締結することによって役物支持部材７１に取り付けられる支持体７４と、支持体７４に支持されるモータ７５と、モータ７５の出力軸に連結される主動ギア７６と、主動ギア７６と噛み合う従動ギア７７とを備える。従動ギア７７は、役物支持部材７１に対して揺動すると共に可動役物６５のベース部材８０に結合される扇状ギア７３の外周と噛み合っている。
【００８８】
扇状ギア７３は、図７〜図９に示すように、中心側に配設された締結部７３ａを、締結部材７８ａを介して可動役物６５のベース部材８０の締結部８０ａと締結すると共に、中程に配設された締結部７３ｂを、締結部材７８ｂを介してベース部材８０の締結部８０ｂと締結することによってベース部材８０に結合される。
【００８９】
締結部材７８ａは、役物支持部材７１に形成された円形の貫通孔７１ｂ（図１０参照）を挿通し、この貫通孔７１ｂによって回転自在に支持される。また、締結部材７８ｂは、役物支持部材７１に形成された開口部７１ｃを挿通する。扇状ギア７３の揺動時、締結部材７８ｂが開口部７１ｃに干渉することはない。
【００９０】
このように、扇状ギア７３は、役物支持部材７１に対しては、中心側が貫通孔７１ｂにて支持されると共に外周に形成された歯が駆動機構７２の従動ギア７７と噛み合った状態で配置される。
【００９１】
ベース部材８０の締結部８０ｃには、図７〜図９に示すように、可動役物６５が役物支持部材７１に対して揺動する際に、役物支持部材７１に形成された円弧状のガイド穴７１ｄに沿って案内される円板状のガイド７９が締結される。
【００９２】
可動役物６５は、役物支持部材７１に対して以上のように取り付けられるため、駆動機構７２のモータ７５が駆動することによって、モータ７５の回転が主動ギア７６及び従動ギア７７を介して扇状ギア７３に伝達され、扇状ギア７３は、中心側の締結部材７８ａを揺動軸として役物支持部材７１に対して揺動する。
【００９３】
可動役物６５のベース部材８０は扇状ギア７３に結合されているため、扇状ギア７３の揺動に伴って、可動役物６５も、図７及び図８に示すように、締結部材７８ａを揺動軸としてガイド７９が役物支持部材７１のガイド穴７１ｄに案内されて揺動する。
【００９４】
具体的には、モータ７５が正回転することによって、可動役物６５は上向きに揺動し、図５及び図７に示すようにガイド７９がガイド穴７１ｄの一端部に到達し、可動役物６５が最大上向き状態に達した場合には、検出器によって揺動限界であることが検出され、モータ７５は正回転から逆回転に切り換わる。
【００９５】
モータ７５の逆回転によって、可動役物６５は下向きに揺動方向を変える。可動役物６５の下向きの揺動は、モータ７５に加えられるパルス電流によって行われ、所定回数のパルス電流が加えられることによって、図６及び図８に示すように、ガイド７９はガイド穴７１ｄの他端部に到達し、可動役物６５は最大下向き状態となり、モータ７５は再び正回転に切り換わる。
【００９６】
このように、可動役物６５の揺動は、モータ７５の正回転、逆回転の切り換えによって行われる。次に、可動役物６５の最大上向き状態を検出する、前述した検出器について説明する。
【００９７】
本実施の形態では、検出器は図９及び図１０に示す光電センサ８２であり、光電センサ８２は、役物支持部材７１における駆動機構７２とは反対側に配設されたセンサ保持部材８３によって保持される。
【００９８】
光電センサ８２は、コの字形状に形成され、一方の凸部が発光部であり、他方の凸部が受光部である。扇状ギア７３には、図９に示すように、役物支持部材７１に形成された円弧状の開口部７１ｅを挿通する挿通板８４が配設され、挿通板８４の先端には光電センサ８２における発射光を遮蔽するための遮蔽板８５が連結される。
【００９９】
光電センサ８２及び遮蔽板８５は、可動役物６５が上向きに揺動し、最大上向き状態に達した場合に、遮蔽板８５が光電センサ８２における発射光を遮蔽するように配設される。これにより、光電センサ８２は、可動役物６５が揺動限界に達したことを検出し、その検出信号を遊技制御装置（図示省略）に対して出力する。そして、光電センサ８２から信号を受信した遊技制御装置は、モータ７５の回転を正回転から逆回転へと切り換える。
【０１００】
次に、可動役物６５の構成について説明する。
【０１０１】
図１１及び図１２に示すように、可動役物６５は、前述したベース部材８０と、ベース部材８０に結合される基体８６と、基体８６の中心軸に沿って基体８６に対して相対移動可能な芯部材８７と、基端側が基体８６に支持されると共に芯部材８７を囲繞して配置され、芯部材８７の移動に伴って先端側が揺動する複数の可動部材８８とを備える。
【０１０２】
ベース部材８０は、図１１に示すように、扇状ギア７３が結合される第１ベース部材８０Ａと、基体８６が結合される第２ベース部材８０Ｂとの２つの部材から構成される。
【０１０３】
第１ベース部材８０Ａは、芯部材８７の基端側に形成されたガイド穴８７ａ内に挿入されるガイドピン８９を支持する。芯部材８７は、ガイドピン８９に案内されて移動する。
【０１０４】
基体８６は、図１３に示すように、背面の締結部８６ａ（３箇所）を第２ベース部材８０Ｂの締結部８０ｄ（３箇所）と締結することによって、第２ベース部材８０Ｂに結合される。第２ベース部材８０Ｂには開口部８０ｅが形成され、開口部８０ｅは、基体８６における芯部材８７が挿通する貫通孔８６ｂと連通する。このように、芯部材８７は、開口部８０ｅを通じてベース部材８０内に挿入される。
【０１０５】
ベース部材８０内には、図１１及び図１２に示すように、芯部材８７を軸方向へと移動するための駆動機構９０と、芯部材８７の移動端を検出するための光電センサ９１とが収容される。
【０１０６】
駆動機構９０は、図１２に示すように、締結部９０ａ（２箇所）を第２ベース部材８０Ｂの締結部８０ｆ（２箇所）と締結することによって第２ベース部材８０Ｂに取り付けられる支持体９２と、支持体９２に支持されるモータ９３と、モータ９３の出力軸に連結されたギア（図示省略）に噛み合うピニオンギア９４とを備える。
【０１０７】
ピニオンギア９４は、芯部材８７に配設され芯部材８７の軸方向に沿って延在するラックギア９５に噛み合っている。これにより、モータ９３が駆動することによって、モータ９３の回転がピニオンギア９４及びラックギア９５を介して芯部材８７に伝達され、芯部材８７は軸方向へと移動する。具体的には、モータ９３が正回転することによって、芯部材８７は基体８６の貫通孔８６ｂに進入する方向へと移動し（以下、「前進」と称する。）、モータ９３が逆回転することによって、芯部材８７は基体８６の貫通孔８６ｂから退出する方向へと移動（以下、「後退」と称する。）する。
【０１０８】
光電センサ９１は、コの字形状に形成され、一方の凸部が発光部であり、他方の凸部が受光部である。芯部材８７には、図１２及び図１３に示すように、光電センサ９１における発射光を遮蔽するための遮蔽板９６がラックギア９５と一体に配設される。光電センサ９１及び遮蔽板９６は、芯部材８７が最大後退位置に達した場合に、遮蔽板９６が光電センサ９１における発射光を遮蔽するように配設される。このように、光電センサ９１は、芯部材８７が最大後退位置に達したことを検出するものである。
【０１０９】
これにより、モータ９３が逆回転し、芯部材８７が最大後退位置に達した場合には、光電センサ９１は検出信号を遊技制御装置（図示省略）に対して出力する。そして、光電センサ９１から信号を受信した遊技制御装置は、モータ９３の回転を逆回転から正回転へと切り換える。
【０１１０】
モータ９３が正回転に切り換わることによって芯部材８７は前進する。芯部材８７の前進は、モータ９３に加えられるパルス電流によって行われ、所定回数のパルス電流が加えられることによって芯部材８７は最大前進位置まで前進し、モータ９３は再び逆回転に切り換わる。
【０１１１】
次に、図１４を参照して、芯部材８７について説明する。
【０１１２】
芯部材８７は、意匠形状が施された先端側芯部材８７Ａと、ラックギア９５が配設された基端側芯部材８７Ｂとを備え、軸方向に延在する互いの連結部８７ｂを重ね合わせ締結部材（図示省略）によって一体に締結される。
【０１１３】
また、芯部材８７は、先端側芯部材８７Ａと基端側芯部材８７Ｂとが一体の状態にて、基端側芯部材８７Ｂの外周における段部８７ｃと爪部８７ｄとの間に係止され、芯部材８７の軸方向への移動が規制された略筒状のキャップ部材９７も備える。キャップ部材９７の内周面には、基端側芯部材８７Ｂの外周面に対峙する複数の突状部９７ａが形成され、突状部９７ａは、芯部材８７に対するキャップ部材９７の相対回転を防止するように機能する。
【０１１４】
キャップ部材９７の外周面は、直径が芯部材８７の先端、つまり前進方向に向かって次第に減少するテーパ状に形成される。
【０１１５】
次に、図１５及び図１６を参照して、可動部材８８、及び可動部材８８を支持する基体８６について説明する。
【０１１６】
可動部材８８は、芯部材８７を囲繞して配置され、先端側が芯部材８７の移動に伴って芯部材８７の径方向へと揺動する揺動部８８Ａと、一端側が揺動部８８Ａに結合され他端側が芯部材８７のキャップ部材９７に対峙すると共に基体８６に揺動自在に支持されるレバー部８８Ｂとを備える。このように、揺動部８８Ａは、レバー部８８Ｂを介して基体８６に揺動自在に支持される。
【０１１７】
可動部材８８は、本実施の形態では８つ設けられ、８つの揺動部８８Ａは、断面が円弧状の湾曲した部材であり、芯部材８７を囲繞した状態では略円筒状の部材を構成する。
【０１１８】
レバー部８８Ｂは、一端側が揺動部８８Ａの内周面端部に結合され、揺動部８８Ａの内周面との成す角度が鋭角でかつ揺動部８８Ａの中心軸に向かって延びる。
【０１１９】
レバー部８８Ｂは、基体８６に形成された揺動軸受部８６ｃに係合する揺動軸８８ａと、先端側に設けられ芯部材８７の前進に伴ってキャップ部材９７の外周面に当接して案内される受圧部８８ｂとを備える。このように、レバー部８８Ｂは、揺動軸受部８６ｃを介して基体８６に揺動自在に支持され、受圧部８８ｂにて芯部材８７の前進に伴う推力を受ける。
【０１２０】
基体８６は、端面に揺動軸受部８６ｃが配設された第１基体８６Ａと、第１基体８６Ａの端面に結合される平板状の蓋体８６Ｂと、第１基体８６Ａに対して蓋体８６Ｂとは逆側に結合される第２基体８６Ｃとを備える。
【０１２１】
図１５に示すように、揺動軸受部８６ｃは、第１基体８６Ａの端面に環状に配設され、第１基体８６Ａの胴部には、各揺動軸受部８６ｃに対応する位置に内周面と外周面に開口部を有するスリット８６ｄが形成される。
【０１２２】
各可動部材８８の基体８６への取り付けは、レバー部８８Ｂの揺動軸８８ａを揺動軸受部８６ｃに係合させると共に、第１基体８６Ａの端面に蓋体８６Ｂを結合することによって行われる。なお、第１基体８６Ａと蓋体８６Ｂとの結合は、第１基体８６Ａの締結部８６ｅ（３箇所）と蓋体８６Ｂの締結部８６ｆ（３箇所）とを締結することによって行われる。
【０１２３】
可動部材８８が揺動軸８８ａを介して基体８６に取り付けられることによって、各揺動部８８Ａは、基体８６の外周に、つまり芯部材８７を囲繞して配置され、各レバー部８８Ｂは、受圧部８８ｂがスリット８６ｄの内周開口部から貫通孔８６ｂ内に臨んだ状態で配置される（図１５参照）。
【０１２４】
したがって、芯部材８７が基体８６の貫通孔８６ｂ内を前進する場合には、スリット８６ｄの内周開口部から貫通孔８６ｂ内に臨む受圧部８８ｂに、キャップ部材９７のテーパ状の外周面が当接する。キャップ部材９７の外周面は芯部材８７の前進方向に向かって次第に減少するテーパ状に形成されるため、芯部材８７の前進に伴ってレバー部８８Ｂは、キャップ部材９７の外周面に案内され揺動軸８８ａを軸に回転しスリット８６ｄ内へ進入する。
【０１２５】
このように、芯部材８７が前進する場合には、レバー部８８Ｂの受圧部８８ｂが芯部材８７の移動に伴う推力を受けることによって、揺動部８８Ａは、その先端側が揺動軸８８ａを中心に芯部材８７から離れる方向に揺動する。
【０１２６】
次に、芯部材８７の後退時における揺動部８８Ａを揺動させる機構について説明する。
【０１２７】
図１６に示すように、第１基体８６Ａと第２基体８６Ｃとの間には、レバー部８８Ｂの受圧部８８ｂが芯部材８７の移動に伴う推力を受けた際に、レバー部８８Ｂによって押圧される弾性部材９８が配設される。
【０１２８】
弾性部材９８は、環状のリング体９８ａと、リング体９８ａから立設して設けられ第１基体８６Ａの各スリット８６ｄにおける外周開口部に対峙する複数の弾性部９８ｂとを備える。なお、弾性部材９８は、弾性部９８ｂを弾性体にて構成すればよく、リング体９８ａは弾性体にて構成する必要はない。
【０１２９】
リング体９８ａの外周には複数の突起部９８ｃが形成され、弾性部材９８は、突起部９８ｃを第２基体８６Ｃの底面に形成された凹部８６ｇに嵌合することによって、第２基体８６Ｃに対して位置決め支持される。この状態にて、第１基体８６Ａと第２基体８６Ｃを締結することによって、弾性部材９８の各弾性部９８ｂは、第１基体８６Ａの各スリット８６ｄにおける外周開口部に対峙して配置される。なお、第１基体８６Ａと第２基体８６Ｃとの締結は、第１基体８６Ａの締結部８６ｈ（３箇所）と第２基体８６Ｃの締結部８６ｉ（３箇所）とを締結することによって行われる。
【０１３０】
弾性部材９８がこのように配設されることによって、芯部材８７が基体８６の貫通孔８６ｂ内を前進する場合において、レバー部８８Ｂが、芯部材８７の移動に伴う推力を受けることによって揺動軸８８ａを軸に回転しスリット８６ｄ内へと進入する際には、レバー部８８Ｂにおける受圧部８８ｂと反対側の面８８ｃ（図１５参照）が、弾性部９８ｂの内周面に当接し弾性部９８ｂを押圧する。これにより、弾性部９８ｂは、リング体９８ａに連結された基端部を支点に外側に向かって弾性変形する。
【０１３１】
弾性部９８ｂの弾性変形によって、レバー部８８Ｂは、芯部材８７の前進に伴う推力を受けると共に、弾性部９８ｂの付勢力によって前記推力とは逆方向の反力も受ける。このように、芯部材８７が前進する場合には、レバー部８８Ｂは、弾性部９８ｂの付勢力に抗して揺動することになる。したがって、基体８６に対するレバー部８８Ｂの遊び、具体的には、揺動軸受部８６ｃに対する揺動軸８８ａの遊びが抑制されるため、各可動部材８８は、揺動軸８８ａを支点に芯部材８７から離れる方向に安定して揺動し、芯部材８７に対する各可動部材８８の開き角度は一様となる。
【０１３２】
また、芯部材８７の進行方向が前進から後退へと切り換わった場合には、キャップ部材９７の外周面は芯部材８７の前進方向に向かって次第に減少するテーパ状に形成されるため、芯部材８７の後退に伴ってキャップ部材９７がレバー部８８Ｂの受圧部８８ｂに及ぼす推力が解除される。これにより、レバー部８８Ｂによる弾性部材９８の弾性部９８ｂに対する押圧力が解除されるため、レバー部８８Ｂには弾性部９８ｂの付勢力のみが作用する。したがって、レバー部８８Ｂは、キャップ部材９７の外周面に案内され揺動軸８８ａを軸に回転しスリット８６ｄ内から退出し、再び受圧部８８ｂがスリット８６ｄの内周開口部から貫通孔８６ｂ内に臨んだ状態となる。
【０１３３】
このように、芯部材８７が後退する場合には、可動部材８８は、弾性部９８ｂの付勢力によって、揺動軸８８ａを支点に芯部材８７に近づく方向に安定して揺動する。
【０１３４】
以上のように、可動部材８８は、芯部材８７の前進に伴う推力と、芯部材８７の後退時における弾性部９８ｂの付勢力とによって揺動する。つまり、芯部材８７が前進と後退を繰り返すことによって、可動部材８８は揺動を繰り返す。
【０１３５】
なお、レバー部８８Ｂの受圧部８８ｂは円弧状に形成されるため、受圧部８８ｂとキャップ部材９７の外周面とは滑らかに当接する。したがって、芯部材８７の移動に伴って可動部材８８は滑らかに揺動する。
【０１３６】
また、弾性部材９８の各弾性部９８ｂの幅は、レバー部８８Ｂの幅と略同一に形成されるが、図１６に示すように、各弾性部９８ｂの先端部は、レバー部８８Ｂの幅よりも広く形成される。これにより、弾性部９８ｂに対するレバー部８８Ｂの位置が多少ずれているような場合でも、レバー部８８Ｂは、弾性部９８ｂの先端部を介して弾性部９８ｂを確実に押圧することができる。
【０１３７】
また、弾性部９８ｂは、合成樹脂で形成されるため、レバー部８８Ｂによる押圧、押圧解除が繰返し行われても、付勢力の低下が防止される。このため、各可動部材８８の開閉角度を常に一定角度に保つことができる。
【０１３８】
以上のように構成される可動役物６５の動作について説明する。
【０１３９】
遊技中において、所定の遊技状態の発生時、例えば、確率変動、普図時短等の特定遊技状態、遊技者にとって有利な特別遊技状態（大当たり）、及び特別遊技状態を成立させ得るリーチ状態が発生した場合には、可動役物６５の機械的な動作によって、遊技者を楽しませる演出が行われる。
【０１４０】
具体的には、図５及び図６に示すように、可動役物６５は、全体が役物支持部材７１に対して揺動を繰り返す。また、それと同時に、芯部材８７の前進と後退に伴って、各可動部材８８は、その先端側がレバー部８８Ｂの揺動軸８８ａを中心に芯部材８７から離れる方向と近づく方向とに揺動する。このように、芯部材８７の前進と後退に伴って、各可動部材８８は開閉を繰り返し、遊技者を視覚的に楽しませる。
【０１４１】
以上の実施の形態によれば、以下に示す作用効果を奏する。
【０１４２】
可動役物６５の各レバー部８８Ｂは、芯部材８７の前進に伴う推力を受けて揺動する場合には、弾性部材９８における弾性部９８ｂを押圧しながら揺動する。これにより、基体８６に対するレバー部８８Ｂの遊びが抑制されるため、各可動部材８８は、芯部材８７から離れる方向へと安定して揺動し、芯部材８７に対する各可動部材８８の開き角度は一様となる。また、芯部材８７が後退する場合には、各可動部材８８は、弾性部９８ｂの付勢力によって芯部材８７に近づく方向へと安定に揺動し一様に閉じる。このように、各可動部材８８は、芯部材８７の移動に伴って安定して揺動する。
【０１４３】
このように、各レバー部８８Ｂは、各可動部材８８が芯部材８７から離れる方向へと揺動する際には、芯部材８７の前進に伴う推力を受けると共に弾性部９８ｂの付勢力も受け、また、各可動部材８８が芯部材８７に近づく方向へと揺動する際には、弾性部９８ｂの付勢力を受けるため、可動役物６５を芯部材８７が水平方向となるように配置した場合でも、芯部材８７に対する各可動部材８８の開閉角度は重力の影響を受けず、各可動部材８８は安定して揺動する。
【０１４４】
本発明は上記の実施の形態に限定されずに、その技術的な思想の範囲内において種々の変更がなしうることは明白である。
【産業上の利用可能性】
【０１４５】
本発明の遊技機は、前記実施の形態に示されるようなパチンコ遊技機に限られるものではなく、例えば、その他のパチンコ遊技機、アレンジボール遊技機、雀球遊技機などの遊技球を使用する全ての遊技機に適用可能である。
【図面の簡単な説明】
【０１４６】
【図１】本発明の実施の形態に係る遊技機の正面図である。
【図２】本発明の実施の形態に係る遊技機の斜視図である。
【図３】センターケースにおけるステージの拡大図である。
【図４】センターケースにおけるステージの拡大図であり、サブステージを取り外した状態を示す図である。
【図５】表示装置支持枠の正面図であり、可動役物全体が上向きに揺動した状態を示す図である。
【図６】表示装置支持枠の正面図であり、可動役物全体が下向きに揺動した状態を示す図である。
【図７】可動役物の背面図であり、可動役物全体が上向きに揺動した状態を示す図である。
【図８】可動役物の背面図であり、可動役物全体が下向きに揺動した状態を示す図である。
【図９】役物支持部材及び可動役物の分解斜視図である。
【図１０】役物支持部材の分解斜視図である。
【図１１】可動役物の分解斜視図である。
【図１２】可動役物の分解斜視図である。
【図１３】可動役物の分解斜視図である。
【図１４】可動役物の分解斜視図である。
【図１５】可動役物の分解斜視図である。
【図１６】可動役物の分解斜視図である。
【符号の説明】
【０１４７】
１      遊技盤
１１    遊技領域
２１    センターケース
２２    変動表示装置
２４    始動口
４０    ステージ
４１    ワープ通路
６５    可動役物
７１    役物支持部材
７３    扇状ギア
８０    ベース部材
８６    基体
８６ｄ  スリット
８７    芯部材
８８    可動部材
８８Ａ  揺動部
８８Ｂ  レバー部
８８ａ  揺動軸
８８ｂ  受圧部
９７    キャップ部材
９８    弾性部材
９８ａ  リング体
９８ｂ  弾性部
【図１】
0005058694.tif 000002
【図２】
0005058694.tif 000003
【図３】
0005058694.tif 000004
【図４】
0005058694.tif 000005
【図５】
0005058694.tif 000006
【図６】
0005058694.tif 000007
【図７】
0005058694.tif 000008
【図８】
0005058694.tif 000009
【図９】
0005058694.tif 000010
【図１０】
0005058694.tif 000011
【図１１】
0005058694.tif 000012
【図１２】
0005058694.tif 000013
【図１３】
0005058694.tif 000014
【図１４】
0005058694.tif 000015
【図１５】
0005058694.tif 000016
【図１６】
0005058694.tif 000017